(57)【要約】    【課題】  撮影した画像データを電子メールに添付して送信するまでの手順を簡単化することが可能となる電子メール装置、その制御方法およびプログラムを提供する。    【解決手段】  電子メールの編集画面には、編集画面上の電子メールを送信するための送信ボタン４０６、編集画面上の電子メールを送信せずに保存して、編集画面を閉じるための、後で送信ボタン４０７、添付書類を選ぶための画面を表示する添付ボタン４０８などの、通常のメーラに設けられている操作ボタンに加え、電子メール編集画面上でカメラモジュールによる撮影を行うモードに移行するためのカメラボタン４０９が設けられている。カメラボタン４０９をタップすると、カーソル４１４のある行に１文字も入力されていなければその行が、何かしらの文字が入力されていれば、次の行がファインダ表示の上部となるようにカメラモジュールの電源を入れて、ファインダ表示を行う。このとき、画面左側の操作ボタンは、カメラモジュールによる撮影を行うために必要なボタンに置き換わる。【選択図】    図４
2006171802.tif 000002
【特許請求の範囲】
【請求項１】
静止画像または動画像を撮影する撮影手段を制御する制御手段と、
電子メールを編集するための編集手段と、
前記制御手段に対して制御内容を指示するための第１のユーザインターフェースと、
前記編集手段に対して編集内容を指示するとともに、その編集結果を表示するための第２のユーザインターフェースと、
前記第１および第２のユーザインターフェースを同一画面に表示する表示手段と
を有することを特徴とする電子メール装置。
【請求項２】
前記撮影手段は、当該電子メール装置に着脱自在に取り付け可能であることを特徴とする請求項１に記載の電子メール装置。
【請求項３】
前記撮影手段から出力されたファインダ画像を、前記画面中、所定の一部領域に表示させるように制御する表示制御手段をさらに有することを特徴とする請求項１または２に記載の電子メール装置。
【請求項４】
前記所定の一部領域は、前記電子メールの編集結果が表示される編集画面内の一部領域であることを特徴とする請求項３に記載の電子メール装置。
【請求項５】
前記編集画面内の一部領域は、文字入力を行うために表示されたカーソル位置を始点とした領域であり、該カーソル位置より下の位置に文字が記載されている場合には、該文字は、当該ファインダ画像が表示された領域に続いて表示されることを特徴とする請求項４に記載の電子メール装置。
【請求項６】
前記カーソル位置の行に、既に文字が記載されている場合には、前記編集画面内の一部領域は、当該カーソル位置の次の行を始点とした領域であることを特徴とする請求項５に記載の電子メール装置。
【請求項７】
前記撮影手段によって撮影された静止画像または動画像をキャプチャするキャプチャ手段をさらに有し、
前記キャプチャ手段によってキャプチャされたキャプチャ画像は、前記所定の一部領域に取り込まれて表示されることを特徴とする請求項３〜６のいずれかに記載の電子メール装置。
【請求項８】
前記所定の一部領域に取り込まれて表示されたキャプチャ画像を、前記編集された電子メールに添付する添付手段をさらに有することを特徴とする請求項７に記載の電子メール装置。
【請求項９】
前記所定の一部領域に取り込まれて表示されたキャプチャ画像を、当該電子メールの背景画像に設定する設定手段をさらに有することを特徴とする請求項７に記載の電子メール装置。
【請求項１０】
前記キャプチャ手段に画像のキャプチャを指示する指示手段をさらに有し、
前記指示手段は、前記第１のユーザインターフェース内に設けられることを特徴とする請求項７に記載の電子メール装置。
【請求項１１】
前記撮影手段には、シャッターが設けられ、
前記シャッターが押されたことをトリガにして、前記ファインダ画像が前記所定の一部領域に表示されることを特徴とする請求項３に記載の電子メール装置。
【請求項１２】
前記撮影手段には、シャッターが設けられ、
前記シャッターが所定時間押し続けられたことをトリガにして、前記ファインダ画像が前記所定の一部領域に表示されることを特徴とする請求項３に記載の電子メール装置。
【請求項１３】
静止画像または動画像を撮影する撮影手段を制御する制御ステップと、
電子メールを編集するための編集ステップと、
前記制御ステップに対して制御内容を指示するための第１のユーザインターフェース、および、前記編集ステップに対して編集内容を指示するとともに、その編集結果を表示するための第２のユーザインターフェースを同一画面に表示させる表示ステップと
を有することを特徴とする電子メール装置の制御方法。
【請求項１４】
請求項１３に記載の画像処理システムの制御方法を、コンピュータに実行させるためのプログラム。
【請求項１５】
請求項１４に記載のプログラムを格納した、コンピュータ読み取り可能な記憶媒体。
【発明の詳細な説明】
【技術分野】
【０００１】
本発明は、静止画や動画を撮影する撮像装置を備えた電子メール装置、その制御方法およびプログラムに関する。
【背景技術】
【０００２】
近年、デジタルカメラや電子メールの普及が進み、また、通信ネットワークの高速化に伴い、撮影した画像データを受け渡す方法の一つとして、電子メールを通じて行うことが増えて来た。
【０００３】
電子メールでは、プレインテキストを送るのが基本であるが、バイナリデータでさえも、ＭＩＭＥ（Multipurpose Internet Mail Extensions）エンコードすることにより、あたかもテキストのようにして、電子メールに添付して送ることができる。
【０００４】
また、ＨＴＭＬ（Hypertext Markup Language）で記述されたＨＴＭＬ文書をそのまま電子メールとして送ることができるとともに、ＨＴＭＬを解釈、表示できる電子メールアプリケーションが増えて来たので、視覚効果の高い電子メールの送受信が可能となって来た。
【０００５】
また、あらかじめＰＣ（パーソナル・コンピュータ）などでジョブリストを作っておき、ジョブリストに従って撮影すると、例えば電子メールへの添付など、撮影を含めたバッチ処理を行うことができるようにしたものもある（例えば、特許文献１参照）。
【特許文献１】特開２００２−１５８９５３号公報
【発明の開示】
【発明が解決しようとする課題】
【０００６】
ところで、デジタルカメラで撮影した画像を添付した電子メールを送る場合、通常、以下のような操作を行っている。
１．デジタルカメラで撮影した画像ファイルをＰＣにコピー
２．ＰＣで画像を確認
３．電子メールアプリケーションを起動
４．電子メールアプリケーションの編集画面を開く
５．電子メールアプリケーションの編集画面から、添付書類をファイルブラウザを用いて選択
６．電子メールを適切に編集し、電子メールの宛先を記入して送信。
【０００７】
また、携帯情報端末（以下、「ＰＤＡ」という）のように、外部のモジュールとしてカメラモジュールが用意されている機種に関しては、以下のような操作を行う。
１．カメラモジュールをＰＤＡに接続
２．カメラ撮影アプリケーションを起動
３．撮影
４．カメラ撮影アプリケーションを閉じ、ファイルブラウザから該当するファイルを探し、フォトビューワで撮影した画像を確認
５．フォトビューワを閉じ、電子メールアプリケーションを起動
６．電子メールアプリケーションの編集画面を開く
７．電子メールアプリケーションの編集画面から、添付書類をファイルブラウザを用いて選択
８．電子メールを適切に編集し、電子メールの宛先を記入して送信。
【０００８】
以上の操作は、いずれにしても、手数がかかり、煩わしいだけでなく、操作ミスも起こし易いので、快適と言うには程遠い操作性となっている。
【０００９】
本発明は、この点に着目してなされたものであり、撮影した画像データを電子メールに添付して送信するまでの手順を簡単化することが可能となる電子メール装置、その制御方法およびプログラムを提供することを目的とする。
【課題を解決するための手段】
【００１０】
上記目的を達成するため、請求項１に記載の電子メール装置は、静止画像または動画像を撮影する撮影手段を制御する制御手段と、電子メールを編集するための編集手段と、前記制御手段に対して制御内容を指示するための第１のユーザインターフェースと、前記編集手段に対して編集内容を指示するとともに、その編集結果を表示するための第２のユーザインターフェースと、前記第１および第２のユーザインターフェースを同一画面に表示する表示手段とを有することを特徴とする。
【００１１】
また、上記目的を達成するため、請求項１３に記載の電子メール装置の制御方法は、静止画像または動画像を撮影する撮影手段を制御する制御ステップと、電子メールを編集するための編集ステップと、前記制御ステップに対して制御内容を指示するための第１のユーザインターフェース、および、前記編集ステップに対して編集内容を指示するとともに、その編集結果を表示するための第２のユーザインターフェースを同一画面に表示させる表示ステップとを有することを特徴とする。
【発明の効果】
【００１２】
請求項１または１３に記載の発明によれば、第１および第２のユーザインターフェースを同一画面に表示させるようにしたので、電子メールを編集している画面で、静止画像または動画像を撮影することができる。
【００１３】
請求項４に記載の発明によれば、撮影手段から出力されたファインダ画像は、電子メールの編集結果が表示される編集画面内の一部領域に表示されるので、電子メールに添付される画像の位置や内容を一目で確認することができる。
【００１４】
請求項６に記載の発明によれば、文字入力を行うためのカーソルの存在する行に既に文字が入力されている場合には、ファインダ画像の表示位置は、カーソルの存在する行の次の行としたので、文字の入力されている行と画像が入る位置とを明確に切り分けてみることができる。
【００１５】
請求項７に記載の発明によれば、撮影された画像がもともとファインダ画像が表示されていた位置に表示されるので、当該電子メール装置の撮影画面におけるレイアウトと、実際に添付電子メールとして表示されたレイアウトを等しくみることができる。
【００１６】
請求項９に記載の発明によれば、電子メールの編集画面上で撮影した静止画像が当該電子メールの背景画像として設定されるので、電子メールの背景に、その場で撮影した写真を貼り付けて電子メールを送信することができる。
【００１７】
請求項１１に記載の発明によれば、シャッターが押されたことをトリガとして、ファインダ画面が表示されるので、撮影画面を表示する方法のバリエーションを増加させることができる。
【００１８】
請求項１２に記載の発明によれば、シャッターが所定時間押されたことをトリガとして、カメラのファインダ画面が表示されるので、不用意な撮影画面の立ち上げを防ぐことができる。
【発明を実施するための最良の形態】
【００１９】
以下、本発明の実施の形態を図面に基づいて詳細に説明する。
【００２０】
（第１の実施の形態）
図１は、本発明の第１の実施の形態に係る電子メール装置の概略構成を示すブロック図である。
【００２１】
同図に示すように、本実施の形態の電子メール装置は、ＰＤＡ１００と、カメラモジュール１２０とによって構成され、ＰＤＡ１００に、別体のカメラモジュール１２０が接続される形態になっている。
【００２２】
ＰＤＡ１００は、ＰＤＡ１００全体の制御を行うＣＰＵ１０１と、当該システムにクロックを供給するリアルタイムクロック（ＲＴＣ）１０２と、読み書き可能なメモリ（ＲＡＭ）１０３と、読み出し専用メモリ（ＲＯＭ）１０４と、ハードウェア的な操作を行うためのハードウェアキー（ＫＥＹ）１０５と，液晶表示装置（ＬＣＤ）１０６と、液晶表示装置１０６上を、図示しないペンで接触したときの接触位置を判定するためのデジタイザ（Digitizer）１０７と、メモリカードやハードディスクなどの外部メモリ１０８と、外部機器と接続するためのＩ／Ｏ１０９と、各デバイス１０１〜１０９間の情報の伝送を行うバス１１０とによって構成されている。
【００２３】
カメラモジュール１２０は、カメラモジュール１２０全体の制御を行うＣＰＵ１２１と、当該システムにクロックを供給するリアルタイムクロック（ＲＴＣ）１２２と、読み書き可能なメモリ（ＲＡＭ）１２３と、光を電気的なデータに変換するためのレンズ（ＬＥＮＺ）１２４およびＣＣＤ（Charge Coupled Device）１２５と、読み出し専用メモリ（ＲＯＭ）１２６と、ハードウェア的な操作を行うためのハードウェアキー（ＫＥＹ）１２７と、外部機器と接続するためのＩ／Ｏ１２８と、各デバイス１２１〜１２８間の情報の伝送を行うバス１２９とによって構成されている。
【００２４】
ＰＤＡ１００とカメラモジュール１２０とは、それぞれのＩ／Ｏ１０９および１２８を介して接続されている。
【００２５】
図２は、ＰＤＡ１００にカメラモジュール１２０を接続した場合の電子メール装置の外観を示す外観図であり、同図（ａ）が、電子メール装置の裏面を示し、同図（ｂ）が、電子メール装置の表面を示している。
【００２６】
カメラモジュール１２０の一部がＰＤＡ１００に挿入され、それぞれが保持するコネクタ（図示せず）によって、両者２００および２２０は、電気的に接続される。
【００２７】
図２（ａ）に示すように、ＰＤＡ１００の裏面には、液晶表示装置１０６、操作ボタンである十字キー２０１、電源キー２０２、および、その他機能を担うファンクションキー２０３が設けられている。
【００２８】
十字キー２０１は、キーの上下左右と中央にそれぞれプッシュボタンが内蔵されており、十字キー２０１のそれぞれの位置をタップすることで、５通りの信号を発生する。
【００２９】
一方、カメラモジュール１２０には、シャッターボタン２１１、レンズ１２４およびズームボタン２１２が実装されており、ＰＤＡ１００では操作上足りないボタンを備えている。
【００３０】
図３は、本実施の形態の電子メール装置の機能構成を示すブロック図であり、送信する電子メールを編集し、編集後の電子メールを送信するために必要な機能が図示されている。
【００３１】
同図に示すように、本実施の形態の電子メール装置は、送信する電子メールの宛先や件名（Subject）、メッセージ内容を編集するための電子メール編集部３０１と、該電子メール編集部３０１に文字を入力するための文字入力部３０２と、電子メールの編集中に電子メール編集画面にカメラモジュール１２０のファインダ出力を行うためのファインダ表示部３０３と、ファインダの大きさを変化させるファインダ形状・サイズ変更部３０４と、画像をキャプチャするためのキャプチャ部３０５と、作成した電子メールを送信する電子メール送信部３０６と、撮影した画像をリサイズする画像リサイズ部３０７とを備えている。
【００３２】
図４は、送信する電子メールを編集するための編集画面（作成画面）の一例を示す図である。
【００３３】
同図に示すように、電子メールの編集画面は、宛先のアドレスを入力するアドレスフィールド４０１と、同じくカーボンコピー（Ｃｃ）のアドレスを入力するＣｃフィールド４０２と、件名（Subject）を入力するサブジェクトフィールド４０３と、メッセージを入力するメッセージフィールド４０４と、メッセージフィールド４０４が長くなって、一画面におさまらなくなったときにスクロールを行うためのスクロールバー４０５と、その他操作を行うためのボタン４０６〜４１３とを備えている。
【００３４】
ボタン４０６〜４１３はそれぞれ、編集画面上の電子メールを送信するための送信ボタン４０６、編集画面上の電子メールを送信せずに保存して、編集画面を閉じるための、後で送信ボタン４０７、添付書類を選ぶための画面を表示する添付ボタン４０８、電子メール編集画面上でカメラモジュール１２０による撮影を行うモードに移行するためのカメラボタン４０９、メッセージ等の文字を入力するためにソフトウェアキーボードを表示するための文字入力ボタン４１０、電子メールの設定を行うための設定ボタン４１１、電子メール編集をキャンセルするためのキャンセルボタン４１２、電子メールアプリケーションを終了するための終了ボタン４１３である。
【００３５】
ここで、画面上の文字入力ボタン４１０をペンでタップすると、図５に示すように、ソフトウェアキーボード５１５が表示される。ソフトウェアキーボード５１５が表示された分、アドレスフィールド４０１、Ｃｃフィールド４０２、サブジェクトフィールド４０３およびメッセージフィールド４０４の各領域が狭まり、アドレスフィールドはスクロールアップされる。このときは、カメラモジュール１２０によるファインダ表示領域が広くとれず、カメラボタン４０９によるファインダ表示を禁止する必要があるので、カメラボタン４０９をグレースケール表示４０９′にして、そのボタン４０９に対する操作をディスエーブルにしている。
【００３６】
文字入力ボタン４１０を再度タップすると、ソフトウェアキーボード５１５が閉じ、図４に示した表示状態に戻る。
【００３７】
次に、カメラボタン４０９をタップすると、カーソル４１４のある行に１文字も入力されていなければその行が、何かしらの文字が入力されていれば、図６に示すように、次の行がファインダ表示の上部となるようにカメラモジュール１２０の電源を入れて、ファインダ表示を行う。このとき、画面左側の操作ボタンは、カメラモジュール１２０による撮影を行うために必要なボタンに置き換わる。また、必要に応じて、ファインダ画面が見えるようにスクロールアップする。
【００３８】
ファインダのサイズは、本実施の形態では、画面の面積の１／４である。
【００３９】
画面左側の操作ボタンは、ファインダ表示されている画面をキャプチャするためのキャプチャボタン６０１と、ズームのテレおよびワイドを行うボタン６０２および６０３と、ストロボ発光する／しないを決定するストロボボタン６０４と、セルフタイマ撮影をする／しないを決定するセルフタイマボタン６０５と、露出を＋側に補正するボタン６０６と、露出を−側に補正するボタン６０７と、撮影する画像のサイズを決定するボタン６０８と、撮影条件の細かな設定画面を表示し、設定を行うための設定ボタン６０９と、キャプチャーモードを終了して、通常の電子メール編集画面に戻るための戻るボタン６１０とによって構成されている。
【００４０】
ストロボボタン６０４とセルフタイマボタン６０５は、トグル動作し、押し込まれているときに、それぞれオン状態となる。
【００４１】
設定ボタン６０９をタップすると、図７に示すように、撮影設定画面になる。
【００４２】
この撮影設定画面では、図６の撮影画面では設定できない、詳細な撮影関連の設定を行うことができる。
【００４３】
シャッター音のオン／オフ、セルフタイマのタイムアウト時間、また、この撮影を電子メール送信のためだけに使うのか、デジタルカメラとして、本体の内蔵フラッシュやストレージに保存するかの設定（画像保存）、本体の内蔵フラッシュやストレージに保存する場合、保存するための画像サイズや品質、保存先を選択できる。
【００４４】
ＯＫボタン７０１をタップすると、変更を保存した後、図６の撮影画面に戻り、撮影条件に変更点を反映させる。一方、キャンセルボタン７０２をタップすると、変更をキャンセルして、図６の撮影画面に戻る。
【００４５】
ズームボタン６０２および６０３は、図２のハードウェアキー２１２と同様に動作する。一方、ハードウェアキーのシャッターボタン２１１は、その押し込みの程度に、半押しと全押しの２段階があり、半押しでフォーカスを正確にあわせるトリガとなり、全押しでキャプチャを行うが、ソフトウェアのキャプチャボタン６０１は、ボタンのプレスでフォーカスを正確にあわせるトリガとなり、ボタンのリリースでキャプチャを行う。
【００４６】
撮影する画像サイズを決定するボタン６０８は、あらかじめ選択できるサイズが複数用意されており、この選択肢をリング状に移行する。
【００４７】
本実施の形態では、
３２０×２４０（ＳＳ）
６４０×４８０（Ｓ）
１０２４×７６８（Ｘ）
１２８０×１０２４（Ｍ）
１６００×１２００（Ｌ）
の５つの撮影サイズを選択肢とし、サイズ変更ボタン６０８をタップするたびに、撮影サイズが順次変更されて行く。
【００４８】
図６の表示例では、１２８０×１０２４（Ｍ）のサイズが選択されている。
【００４９】
一度キャプチャされると、画面がスクロールし、キャプチャされた写真が張り付いた下に、新たなファインダ画面が表示される。
【００５０】
ここで、戻るボタン６１０をタップすると、カメラモジュール１２０の電源を切断し、通常の電子メール編集画面に戻る。このとき、既に撮影した画像は、図８に示すように、電子メールのメッセージフィールド４０４に表示される。
【００５１】
この後も、引き続き文字を入力したり、さらにカメラボタン４０９をタップすることで、撮影した画像を挿入することができる。
【００５２】
キャプチャされた画像を含む、図８の電子メール編集画面の画像の上でペンタップすると、図９に示すように、リサイズつまみ９０１〜９０３が表示される。リサイズつまみ９０１をドラッグすると、写真の縦横比を変更せずに、ドラッグしたペンの座標に応じて写真をリサイズし、リサイズつまみ９０２をドラッグすると、写真の幅を変更し、リサイズつまみ９０３をドラッグすると、写真の高さを変更する。写真のサイズを変更中は、図１０に示すように、リサイズ中の写真の大きさ１００１が表示される。
【００５３】
一度ドラッグした後、ペンアップすると、リサイズつまみ９０１〜９０３は、すべて消滅する。
【００５４】
なお、図６の撮影画面のメッセージフィールド４０４中、ファインダ表示領域以外の領域をペンタップすると、撮影モードを抜けて通常の電子メール編集画面に戻るようにしても良い。
【００５５】
また、図６の撮影画面で、一度キャプチャすると、電子メール編集画面に戻るようにしても良い。
【００５６】
さらに、電子メールに添付する画像のサイズを決定するサイズ決定ボタンで選択できる画像サイズは、図７の撮影設定画面で設定するファイルに保存する場合には、撮影設定画面で設定した画像の保存サイズの大きさを超えないことにしても良い。
【００５７】
また、電子メールの編集画面を表示中に、カメラモジュール１２０のシャッターキー２１１をタップすると、カメラボタン４０９をペンタップしたときと同様、撮影画面になるようにしても良い。
【００５８】
さらに、上記電子メールの編集画面を表示中に、カメラモジュール１２０のシャッターキー２１１を間違って押したときに撮影画面になってしまうことを防止するために、決められた時間間隔、例えば３秒以上カメラモジュール１２０のシャッターキー２１１を押し続けたときに限り、撮影画面になるようにしても良い。
【００５９】
このように、本実施の形態では、電子メールの編集画面上で画像の撮影を行うことができるので、少ない操作で、画像の撮影とサイズの調整を行うことができ、即座に電子メールを送信することができるユーザインターフェースを実現することができる。
【００６０】
（第２の実施の形態）
次に、本発明の第２の実施の形態に係る電子メール装置について説明する。
【００６１】
本実施の形態の電子メール装置は、上記第１の実施の形態の電子メール装置に対して、メール編集画面に添付されている、カメラモジュールを用いて撮影された画像を簡単な操作によって、そのＨＴＭＬメールの背景にして送信するようにした点が異なっている。
【００６２】
前記第１の実施の形態と同様に、ＨＴＭＬメールの編集中に、カメラモジュールを用いて撮影した画像が、送信したい電子メールのメッセージに添付されているとする。
【００６３】
このとき、電子メールの編集画面では操作ボタンとして、背景にするボタン１１０１を表示する。ただし、この時点では、図１１に示すように、背景にするボタン１１０１はグレースケールで表示されて、その操作は不可能状態である。
【００６４】
次に、撮影した写真をタップすると、図１２に示すように、リサイズ可能なことを示すリサイズつまみ９０１′，９０２′および９０３′が表示されると同時に、背景にするボタン１１０１′はグレースケール表示から通常表示に変わって、その操作が可能状態になる。
【００６５】
ここで、背景にするボタン１１０１′をペンタップすると、図１３に示すように、選択した写真がＨＴＭＬメールの背景となる。
【００６６】
このように、本実施の形態では、ＨＴＭＬメールとして送る写真の背景も、容易な操作により、カメラモジュールを用いて撮影された画像にすることができる。
【００６７】
（第３の実施の形態）
次に、本発明の第３の実施の形態に係る電子メール装置について説明する。
【００６８】
本実施の形態の電子メール装置は、前記第１の実施の形態の電子メール装置に対して、カメラモジュールを用いて撮影された画像を電子メールに添付するときに、その撮影情報も同時に付加するようにした点が異なっている。
【００６９】
図１４は、カメラモジュールでの撮影設定画面の一例を示す図である。
【００７０】
ここでは、図７と比べて破線１４０１で囲まれた項目、すなわち、撮影情報を付加する／しないを選択できる項目が追加されている。
【００７１】
この破線１４０１で囲まれた項目である撮影情報を付加する条件を選択しているとして、撮影画面６で画像の撮影を行い、電子メールの編集画面に戻ると、図１５の破線１５０１で囲まれた領域のように、写真１５０２を撮影したときの撮影データを表示する。
【００７２】
本実施の形態では、シャッター速度、絞り、ホワイトバランス、ストロボについて表記しているが、図１４の設定項目で、もっと詳しく、各情報について付加するかどうかを設定できるようにしても良い。
【００７３】
（第４の実施の形態）
次に、本発明の第４の実施の形態に係る電子メール装置について説明する。
【００７４】
本実施の形態の電子メール装置は、電子メールに添付する画像のサイズを画像の撮影画面で、見た通りにリサイズできる。
【００７５】
前記第１の実施の形態の電子メール装置では、図６のサイズボタン６０８で予め決められた画像サイズの中から選択していたが、本実施の形態の電子メール装置では、ファインダ表示画面上を一度ペンタップすると、図１６に示すように、リサイズ可能なことを示すリサイズつまみ１６０１が表示される。
【００７６】
このリサイズつまみ１６０１をドラッグすることで、ファインダ表示サイズが変更され、その状態で画像をキャプチャすると、現在ファインダ画面として表示されているサイズで、キャプチャされ、電子メールの添付画像として送信される画像もファインダサイズの画像となる。すなわち、見たままの大きさの画像がキャプチャされ、添付の画像として送ることができる。
【００７７】
また、リサイズつまみ１６０１が表示されている状態で再びファインダ画像をペンタップすると、リサイズつまみ１６０１は消滅する。
【００７８】
また、ファインダ画像のリサイズを行うのに、十字キー２０１を用いて、十字キーの右側を１回タップする毎に、特定の倍率（例えば１.２倍）ずつファインダ画像が大きくなり、十字キー２０１の左側を１回タップする毎に、特定の倍率ずつファインダ画像が小さくなるようにしても良い。
【００７９】
（第５の実施の形態）
次に、本発明の第５の実施の形態に係る電子メール装置について説明する。
【００８０】
本実施の形態の電子メール装置では、送信する電子メールに添付する画像の形状を選択する。
【００８１】
図１７に示すように、撮影画面において操作ボタンに形状選択ボタン１７０１を持つ。この時点では、ノーマルな長方形が選ばれている状態である。上記形状選択ボタン１７０１をタップすると、図１８に示すように、撮影する画像の輪郭の形状を選択できる。
【００８２】
図１８では、三角形が選択されている状態である。ここでＯＫボタン１８０１をペンタップすると、撮影画面に戻り、選択されている輪郭形状がファインダ画面に反映され、キャンセルボタン１８０２をタップすると、形状選択がキャンセルされ、撮影画面のファインダ表示は形状選択画面が立ち上がる前の輪郭のままである。
【００８３】
図１９は、ファインダ表示の輪郭が三角形である場合の表示の一例を示す図である。
【００８４】
形状選択ボタン１７０１′は、三角形であることを示している。
【００８５】
ファインダ表示している領域をペンタップすると、リサイズつまみが表示され、このつまみをペンでドラッグすることでファインダの表示サイズを選択した形状のままリサイズすることができる。
【００８６】
ここで、キャプチャボタン１９０１をタップするか、シャッターボタン２１１を全押しすると、画像をキャプチャする。このとき、カメラからキャプチャされた画像は、長方形の画像であり、これに、図２０に示す画像生成処理を施すことで、選択された形状の画像を生成する。
【００８７】
図２０において、まず、ステップＳ１では、選択した形状が何であれ、ファインダ表示の輪郭が長方形の状態でキャプチャする。
【００８８】
次に、ステップＳ２では、選択されている形状が長方形であるか否かを判別し、長方形であれば、画像生成として、このキャプチャされた画像を用いる一方、長方形以外の形状であれば、ステップＳ３に進み、キャプチャした画像をビットマップに展開し、展開されたビットマップのうち、選択した形状の外側に位置する画素に対して、透明色を割り当てる（ステップＳ４）。そして、透明色を扱える画像圧縮形式、本実施の形態では、ＰＮＧ（portable network graphics）形式に変換した（ステップＳ５）後、本画像生成処理を終了する。
【００８９】
このようにして、撮影した画像の形状を、選択した形状に変更し、変更後の形状の画像を添付画像として電子メールに添付して送ることができる。
【００９０】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００９１】
この場合、記憶媒体から読出されたプログラムコード自体が本発明の新規な機能を実現することになり、そのプログラムコードおよび該プログラムコードを記憶した記憶媒体は本発明を構成することになる。
【００９２】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００９３】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００９４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【図面の簡単な説明】
【００９５】
【図１】本発明の第１の実施の形態に係る電子メール装置の概略構成を示すブロック図である。
【図２】ＰＤＡにカメラモジュールを接続した場合の電子メール装置の外観を示す外観図である。
【図３】図１の電子メール装置の機能構成を示すブロック図である。
【図４】送信する電子メールを編集するための編集画面（作成画面）の一例を示す図である。
【図５】図４の編集画面にソフトウェアキーボードを表示させたときの図である。
【図６】図４の編集画面にファインダ画面を表示させたときの図である。
【図７】撮影設定画面の一例を示す図である。
【図８】電子メール編集中に画像の撮影を行って、電子メール編集画面に戻ったときの画面を示す図である。
【図９】送信する電子メールに添付された画像をリサイズ可能な画面の一例を示す図である。
【図１０】送信する電子メールに添付された画像をリサイズ中の画面の一例を示す図である。
【図１１】本発明の第２の実施の形態に係る電子メール装置において、送信する電子メールに画像が添付されたときの画面の一例を示す図である。
【図１２】図１１の画面から、添付された画像をＨＴＭＬメールの背景画像にすることが可能な画面の一例を示す図である。
【図１３】図１２の画像がＨＴＭＬメールの背景画像に設定されたときの画面の一例を示す図である。
【図１４】本発明の第３の実施の形態に係る電子メール装置において、送信する電子メールに添付する画像に撮影情報を付加するか否かを設定するための設定画面の一例を示す図である。
【図１５】図１４の設定画面で、送信する電子メールに添付する画像に撮影情報を付加する設定がなされたときに、撮影情報が付加された添付画像の一例を示す図である。
【図１６】本発明の第４の実施の形態に係る電子メール装置において、送信する電子メールに添付された画像をリサイズ可能な画面の一例を示す図である。
【図１７】本発明の第５の実施の形態に係る電子メール装置において、送信する電子メールに添付する画像の形状が長方形に設定されたときの画面の一例を示す図である。
【図１８】図１７の画像の形状を変更するための設定画面の一例を示す図である。
【図１９】図１８の設定画面によって設定された画像の形状が三角形であるときの撮影画面の一例を示す図である。
【図２０】図１９の撮影画面を生成するための画像生成処理の手順を示すフローチャートである。
【符号の説明】
【００９６】
１００  ＰＤＡ
１０２，１２２  リアルタイムクロック（ＲＴＣ）
１０５，１２７  ハードウェアキー（ＫＥＹ）
１０６  液晶表示装置（ＬＣＤ）
１１０，１２９  バス
１２０  カメラモジュール
２０１ 十字キー
２０２ 電源キー
２０３ ファンクションキー
２１１ シャッターボタン
２１２ ズームボタン
４０９ カメラによる撮影モードに移るボタン
４１０ ソフトウェアキーボード表示ボタン
６０１ キャプチャボタン
９０１，９０２，９０３ リサイズつまみ
１７０１ ファインダ形状選択ボタン
【図１】
2006171802.tif 000003
【図２】
2006171802.tif 000004
【図３】
2006171802.tif 000005
【図４】
2006171802.tif 000006
【図５】
2006171802.tif 000007
【図６】
2006171802.tif 000008
【図７】
2006171802.tif 000009
【図８】
2006171802.tif 000010
【図９】
2006171802.tif 000011
【図１０】
2006171802.tif 000012
【図１１】
2006171802.tif 000013
【図１２】
2006171802.tif 000014
【図１３】
2006171802.tif 000015
【図１４】
2006171802.tif 000016
【図１５】
2006171802.tif 000017
【図１６】
2006171802.tif 000018
【図１７】
2006171802.tif 000019
【図１８】
2006171802.tif 000020
【図１９】
2006171802.tif 000021
【図２０】
2006171802.tif 000022